(57)【要約】      （修正有）【課題】組立式引き出し構造を提供する。【解決手段】ボトムプレート１と、当該ボトムプレートに結合される前後のプレート２、３及びサイドプレート４を主に含む。これらプレート部材には、外フレーム１１、２１、３１，４１と、外フレームの内縁に配置された位置決めフレーム２２、３２、４２がそれぞれ設けられ、当該外フレームには係合部材と係合溝が設けられ、当該位置決めフレームには、編み合わされたメッシュ線からなるメッシュシート１５、２４、３４、４５が設けられる。組み立て時には、各プレート部材の外フレームに設けられた係合部材と係合溝を互いに係持させることで、前後のプレートとサイドプレートをボトムプレートの周縁に垂直に位置決めし、ボックス状の引き出しを構成する。また、不使用時には、運搬及び収納に便利なように各プレート部材を分解して折り畳めばよい。【選択図】図１
0003205870.tif 000002
【実用新案登録請求の範囲】
【請求項１】
外フレームと、外フレームの内縁に配置された位置決めフレームが設けられ、当該外フレームは、前後の辺縁に固定孔が設けられるとともに、両サイドに係合溝が設けられており、当該位置決めフレームには、編み合わされたメッシュ線からなるメッシュシートが設けられているボトムプレートと、
外フレームと、外フレームの内縁に配置された位置決めフレームが設けられ、当該外フレームの後辺縁には係合部材が設けられており、当該位置決めフレームには、編み合わされたメッシュ線からなるメッシュシートが設けられており、外フレームの底縁には、ボトムプレートの外フレームにおける固定孔に対応するねじ孔が設けられている前プレートと、
外フレームと、外フレームの内縁に配置された位置決めフレームが設けられ、当該外フレームの前辺縁には係合部材が設けられており、当該位置決めフレームには、編み合わされたメッシュ線からなるメッシュシートが設けられており、外フレームの底縁には、ボトムプレートの外フレームにおける固定孔に対応するねじ孔が設けられている後プレートと、
外フレームと、外フレームの内縁に配置された位置決めフレームが設けられ、当該外フレームは、底縁に係合部材が設けられるとともに、前後の辺縁に係合溝がそれぞれ設けられており、当該位置決めフレームには、編み合わされたメッシュ線からなるメッシュシートが設けられており、外フレームの上縁には、外側に突出する鍔部が設けられている両サイドプレートと、を含み、
組み立て時には、各プレート部材であるボトムプレート、前プレート、後プレート及び両サイドプレートの外フレームに設けられた係合部材と係合溝を互いに係持させることで、前プレート、後プレート及び両サイドプレートをボトムプレートの周縁に垂直に位置決めするとともに、ねじをボトムプレートの固定孔に貫設して前プレート及び後プレートに締結することで、ボックス状の引き出しＡが構成され、衣服又はその他各種物品を収容するよう、両サイドプレートに設けられた鍔部を介してラック内に挿入する一方で、不使用時には、運搬及び収納に便利なように各プレート部材を分解して折り畳むことが可能である組立式引き出し構造。
【請求項２】
前プレート、後プレート及び両サイドプレートの外フレームに設けられた係合部材は、垂直部分と水平部分を含むＬ字状をなしており、組み立て時には、まず係合部材をサイドプレート及びボトムプレートにおける外フレームの係合溝に嵌入してから、係合部材を係合溝の一端に向けてスライドさせ、水平部分を係合溝にしっかりと係合させる請求項１記載の組立式引き出し構造。
【請求項３】
ボトムプレート、前プレート、後プレート及び両サイドプレートに設けられたメッシュシートにおけるメッシュ線の端部が、外フレームと位置決めフレームの間に挟持されるように位置決めフレームに巻き付けられることで、メッシュシートがより安定的に固定される請求項１記載の組立式引き出し構造。
【請求項４】
ボトムプレート、前プレート、後プレート及び両サイドプレートに設けられたメッシュシートには、メッシュシートを増強すべく間隔を置いて配列された突起部が設けられている請求項１記載の組立式引き出し構造。
【請求項５】
前プレートのメッシュシートには、引き出しを把持して出し入れしやすいように半円状の開孔が設けられている請求項１記載の組立式引き出し構造。
【考案の詳細な説明】
【技術分野】
【０００１】
本考案は組立式引き出し構造に関し、特に、相互の係持によってボックス状の引き出しを構成可能であり、不使用時には、運搬及び収納に便利なように分解して折り畳み可能な組立式引き出し構造に関する。
【背景技術】
【０００２】
一般的なラック又は組立式のラックに用いられる引き出しは、通常はボトムプレートと前後のプレート及びサイドプレートから構成される。これにより、引き出しは、ラックに挿入されて衣服やその他各種物品を収容するよう、例えばボックス状に形成される。従来の引き出しは固定式であるため、購入時の運搬に不便なだけでなく、不使用時には、占有体積が大きいことから収納にあたって多くのスペースを占めてしまう。組立式の家具によっては組み立て自在な引き出しを用いているものもあり、運搬や収納時の欠点が改善されてはいる。ただし、これら組立式の引き出しは組み立てが面倒であり、理想的とはいえない。出願人はこの点を鑑みて研究及び実験を継続した結果、引き出しの組み立てが容易であり、且つ運搬及び収納に便利な組立式引き出し構造を設計した。
【考案の概要】
【考案が解決しようとする課題】
【０００３】
本考案は、相互の係持によって引き出しを組み立てることで組み立てをより簡便とし、且つ不使用時には運搬及び収納に便利なように分解して折り畳み可能な組立式引き出し構造を提供することを主たる目的とする。
【課題を解決するための手段】
【０００４】
前記組立式引き出し構造は、ボトムプレートと、当該ボトムプレートに結合される前後のプレート及びサイドプレートを含む。これらプレート部材には、外フレームと、外フレームの内縁に配置された位置決めフレームがそれぞれ設けられ、当該外フレームには係合部材と係合溝が設けられ、当該位置決めフレームには、編み合わされたメッシュ線からなるメッシュシートが設けられる。組み立て時には、各プレート部材の外フレームに設けられた係合部材と係合溝を互いに係持させることで、前後のプレートとサイドプレートをボトムプレートの周縁に垂直に位置決めし、ボックス状の引き出しを構成する。また、不使用時には、運搬及び収納に便利なように各プレート部材を分解して折り畳めばよい。
【０００５】
上述した組立式引き出し構造において、メッシュシートには、メッシュシートを増強するために間隔を置いて配列された突起部が設けられている。
【０００６】
上述した組立式引き出し構造において、メッシュシートのメッシュ線の端部が、外フレームと位置決めフレームの間に挟持されるように位置決めフレームに巻き付けられることで、メッシュシートがより安定的に固定される。
【図面の簡単な説明】
【０００７】
【図１】図１は、本考案の斜視図である。
【図２】図２は、本考案のプレート部材の斜視図である。
【図３】図３は、本考案の分解斜視図である。
【図４】図４は、本考案におけるメッシュシートのメッシュ線の組み付け断面図である。
【図５】図５は、本考案の組み立て状態を示す図である。
【図６】図６は、本考案の組み立て状態を示す図である。
【図７】図７は、本考案の使用状態を示す図である。
【考案を実施するための形態】
【０００８】
図１、図２及び図３を参照して、これらは、それぞれ本考案の斜視図、プレート部材の斜視図及び分解斜視図である。図示するように、本考案は、ボトムプレート１と、当該ボトムプレート１に結合される前プレート２、後プレート３及び両サイドプレート４を含む。当該ボトムプレート１には、外フレーム１１と、外フレーム１１の内縁に配置された位置決めフレーム１２が設けられている。当該外フレーム１１は、前後の辺縁に固定孔１３が設けられるとともに、両サイドに係合溝１４が設けられている。当該位置決めフレーム１２には、編み合わされたメッシュ線１５１からなるメッシュシート１５が設けられ、メッシュシート１５には、メッシュシート１５を増強するために間隔を置いて配列された突起部１５２が設けられている。
【０００９】
当該前プレート２には、外フレーム２１と、外フレーム２１の内縁に配置された位置決めフレーム２２が設けられている。当該外フレーム２１の後辺縁には係合部材２３が設けられており、当該位置決めフレーム２２には、編み合わされたメッシュ線２４１からなるメッシュシート２４が設けられている。メッシュシート２４には半円状の開孔２４３が設けられており、メッシュシート２４には、メッシュシート２４を増強するために間隔を置いて配列された突起部２４２が設けられている。外フレーム２１の底縁には、ボトムプレート１の外フレーム１１における固定孔１３に対応するねじ孔（図示しない）が設けられている。
【００１０】
当該後プレート３には、外フレーム３１と、外フレーム３１の内縁に配置された位置決めフレーム３２が設けられている。当該外フレーム３１の前辺縁には係合部材３３が設けられており、当該位置決めフレーム３２には、編み合わされたメッシュ線３４１からなるメッシュシート３４が設けられている。メッシュシート３４には、メッシュシート３４を増強するために間隔を置いて配列された突起部３４２が設けられている。外フレーム３１の底縁には、ボトムプレート１の外フレーム１１における固定孔１３に対応するねじ孔（図示しない）が設けられている。
【００１１】
当該両サイドプレート４には、外フレーム４１と、外フレーム４１の内縁に配置された位置決めフレーム４２が設けられている。当該外フレーム４１は、底縁に係合部材４３が設けられるとともに、前後の辺縁に係合溝４４がそれぞれ設けられている。当該位置決めフレーム４２には、編み合わされたメッシュ線４５１からなるメッシュシート４５が設けられ、メッシュシート４５には、メッシュシート４５を増強するために間隔を置いて配列された突起部４５２が設けられている。また、外フレーム４１の上縁には、外側に突出する鍔部４６が設けられている。
【００１２】
上述の部材を組み合わせることで、組立式引き出し構造が構成される。組み立て時には、各プレート部材であるボトムプレート１、前プレート２、後プレート３及び両サイドプレート４の外フレーム１１、２１、３１、４１に設けられた係合部材２３、３３、４３と、係合溝１４、４４とを互いに係持させて、前プレート２、後プレート３及び両サイドプレート４をボトムプレート１の周縁に垂直に位置決めする。そして、ねじ５をボトムプレート１の固定孔１３に貫設して前プレート２及び後プレート３に締結することで、ボックス状の引き出しＡを構成する。続いて、衣服又はその他各種物品を収容するために、サイドプレート４に設けられた鍔部４６を介してラック内へ挿入する。これにより、引き出しＡの組み立てがいっそう便利且つスピーディーとなる。また、不使用時には、運搬及び収納に便利なように各プレート部材を分解して折り畳めばよい。
【００１３】
図４を参照して、本図は、本考案におけるメッシュシートのメッシュ線の組み付け断面図である。図示するように、本考案の各プレート部材であるボトムプレート１、前プレート２、後プレート３及び両サイドプレート４に設けられたメッシュシート１５、２４、３４、４５におけるメッシュ線１５１、２４１、３４１、４５１の端部は、外フレーム１１、２１、３１、４１と位置決めフレーム１２、２２、３２、４２の間に挟持されるよう、位置決めフレーム１２、２２、３２、４２に巻き付けられている。これにより、メッシュシート１５、２４、３４、４５がより安定的に固定される。
【００１４】
図５及び図６を参照して、これらの図は、本考案の組み立て状態を示す図である。図２と組み合わせると、図示するように、本考案の前プレート２、後プレート３及び両サイドプレート４に設けられる係合部材２３、３３、４３は、垂直部分と水平部分を含むＬ字状をなしている。組み立て時には、まず係合部材２３、３３、４３を係合溝１４、４４に嵌入してから、係合部材２３、３３、４３を係合溝１４、４４の一端に向けてスライドさせ、係合部材２３、３３、４３の水平部分を外フレーム１１、４１にしっかりと係合させる。これにより、前プレート２、後プレート３及び両サイドプレート４がボトムプレート１の上方にしっかりと固定される。
【００１５】
図７を参照して、本図は、本考案の使用状態を示す図である。図示するように、本考案では、単一の引き出しＡを組み立てた後に、衣服やその他各種物品を収容するために、サイドプレート４に設けられた鍔部４６を介して引き出しＡをラック６内に挿入することが可能である。或いは、衣服やその他各種物品を取り出すために、ラック６から引き出しＡを引き出すことが可能である（メッシュシート２４に設けられた半円状の開孔２４３を把持することで出し入れしやすくなる）。また、不使用時には、運搬及び収納に便利なように各プレート部材を分解して折り畳めばよい。
【００１６】
上記の実施例は本考案の好ましい実施形態を説明するものにすぎず、本考案の範囲を限定する主旨ではない。わずかな補足、変更を加えても本考案の主旨を失わないものは、いずれも本考案の精神の範囲を逸脱するものではない。
【００１７】
以上述べたように、本考案では、係合部材と係合溝が設けられた複数のプレート部材を用い、各プレート部材を簡易に操作することで、ラック内に配置可能な引き出しが組み立てられる。且つ、不使用時には、運搬及び収納に便利なように各プレート部材を分解して折り畳むことが可能である。本考案は実用的な設計であり、確かな新規性を備えるため、法に基づき出願する。審査のうえ、早期に権利化していただければ幸甚である。
【符号の説明】
【００１８】
１      ボトムプレート
１１    外フレーム
１２    位置決めフレーム
１３    固定孔
１４    係合溝
１５    メッシュシート
１５１  メッシュ線
１５２  突起部
２      前プレート
２１    外フレーム
２２    位置決めフレーム
２３    係合部材
２４    メッシュシート
２４１  メッシュ線
２４２  突起部
２４３  開孔
３      後プレート
３１    外フレーム
３２    位置決めフレーム
３３    係合部材
３４    メッシュシート
３４１  メッシュ線
３４２  突起部
４      サイドプレート
４１    外フレーム
４２    位置決めフレーム
４３    係合部材
４４    係合溝
４５    メッシュシート
４５１  メッシュ線
４５２  突起部
４６    鍔部
５      ねじ
６      ラック
Ａ      引き出し
【図１】
0003205870.tif 000003
【図２】
0003205870.tif 000004
【図３】
0003205870.tif 000005
【図４】
0003205870.tif 000006
【図５】
0003205870.tif 000007
【図６】
0003205870.tif 000008
【図７】
0003205870.tif 000009